(57)【要約】  電池パック１００は、電池要素をラミネートケースに収容したラミネート電池１０ａ、１０ｂ、１０ｃ、１０ｄと、ラミネート電池１０ａ、１０ｂ、１０ｃ、１０ｄの位置を決めるための電池位置決め部を有し、ラミネート電池１０ａ、１０ｂ、１０ｃ、１０ｄの一対の主面が対向する方向の両外側に、ラミネート電池１０ａ、１０ｂ、１０ｃ、１０ｄを挟み込むように設けられた一対の拘束板２１、２２と、ラミネート電池１０ａ、１０ｂ、１０ｃ、１０ｄと一対の拘束板２１、２２との積層構造体の中央部を、一対の拘束板２１、２２の一方側から他方側に回り込むように周回して、積層構造体をその中央部で一体に締結する帯状締結部材であるバンド３０とを備える。
2019003664.tif 000002
【特許請求の範囲】
【請求項１】
電池要素をラミネートケースに収容したラミネート電池と、
前記ラミネート電池の位置を決めるための電池位置決め部を有し、前記ラミネート電池の一対の主面が対向する方向の両外側に、前記ラミネート電池を挟み込むように設けられた一対の拘束板と、
前記ラミネート電池と前記一対の拘束板との積層構造体の中央部を、前記一対の拘束板の一方側から他方側に回り込むように周回して、前記積層構造体をその中央部で一体に締結する帯状締結部材と、
を備えることを特徴とする電池パック。
【請求項２】
前記一対の拘束板は、前記帯状締結部材を係合する係合部を有する、
ことを特徴とする請求項１に記載の電池パック。
【請求項３】
前記係合部は、前記一対の拘束板の周囲に設けられた溝、および、前記一対の拘束板に設けられた貫通孔のうちのいずれかである、
ことを特徴とする請求項２に記載の電池パック。
【請求項４】
前記電池位置決め部は、前記一対の拘束板の前記ラミネート電池と向かい合う面に設けられ、前記ラミネート電池の形状に応じた形状を有する凹部である、
ことを特徴とする請求項１〜３のいずれかに記載の電池パック。
【請求項５】
前記ラミネート電池は、前記ラミネートケースから突出した第１の電極タブ、および、前記第１の電極タブとは異なる極性を有する第２の電極タブを有し、
前記第１の電極タブおよび前記第２の電極タブのうちの一方は、前記一対の拘束板の一方に固定され、前記第１の電極タブおよび前記第２の電極タブのうちの他方は、前記ラミネート電池の膨張時に固定箇所が外れる態様で前記一対の拘束板の他方に固定されている、
ことを特徴とする請求項１〜４のいずれかに記載の電池パック。
【請求項６】
前記第１の電極タブおよび前記第２の電極タブのうちの他方は、当該電極タブが突出している方向が開口している穴を有し、前記穴を貫通した雄ネジによって、前記一対の拘束板の他方に固定されている、
ことを特徴とする請求項５に記載の電池パック。
【請求項７】
前記ラミネート電池は、複数積層されている、
ことを特徴とする請求項１〜６のいずれかに記載の電池パック。
【発明の詳細な説明】
【技術分野】
【０００１】
本発明は、電池要素をラミネートケースに収容したラミネート電池を備えた電池パックに関する。
【背景技術】
【０００２】
電池要素をラミネートケースに収容したラミネート電池が知られている。【０００３】
特許文献１には、ラミネート電池を複数積層した積層電池を一対の保護板で挟み、積層電池の側面および保護板の表面の一部を粘着テープで覆って固定した状態で、環状に形成されている帯状の枠体を１箇所または複数箇所設けた構成の電池モジュールが記載されている。【０００４】
この特許文献１に記載の電池モジュールでは、過充電などによってラミネート電池が膨張した場合に、膨張した積層電池は帯状の枠体により抑えられて、ラミネートケースの熱溶着部のように構造的に弱い部位が破断して、内部に溜まったガスを放出することができる構成とされている。
【先行技術文献】
【特許文献】
【０００５】
【特許文献１】特開２００９−２５９５８１号公報
【発明の概要】
【発明が解決しようとする課題】
【０００６】
しかしながら、上述した特許文献１に記載の電池モジュールでは、積層電池と一対の保護板とが所定の位置関係となるように、両者の位置を正確に合わせることが難しく、積層電池と一対の保護板との間で位置ずれが生じる場合がある。この場合、環状の枠体を保護板の所定の位置に設けても、積層電池に対しては所望の位置とはずれた位置に設けられることになり、環状の枠体によって積層電池を所定の位置で安定的に固定することができなくなる。【０００７】
本発明は、上記課題を解決するものであり、ラミネート電池を挟み込む一対の拘束板とラミネート電池との間の位置を精度良く合わせて、帯状締結部材でラミネート電池を安定的に固定することができる電池パックを提供することを目的とする。
【課題を解決するための手段】
【０００８】
本発明の電池パックは、
電池要素をラミネートケースに収容したラミネート電池と、
前記ラミネート電池の位置を決めるための電池位置決め部を有し、前記ラミネート電池の一対の主面が対向する方向の両外側に、前記ラミネート電池を挟み込むように設けられた一対の拘束板と、
前記ラミネート電池と前記一対の拘束板との積層構造体の中央部を、前記一対の拘束板の一方側から他方側に回り込むように周回して、前記積層構造体をその中央部で一体に締結する帯状締結部材と、
を備えることを特徴とする。【０００９】
前記一対の拘束板は、前記帯状締結部材を係合する係合部を有していてもよい。【００１０】
前記係合部は、前記一対の拘束板の周囲に設けられた溝、および、前記一対の拘束板に設けられた貫通孔のうちのいずれかとしてもよい。【００１１】
また、前記電池位置決め部は、前記一対の拘束板の前記ラミネート電池と向かい合う面に設けられ、前記ラミネート電池の形状に応じた形状を有する凹部とすることができる。【００１２】
前記ラミネート電池は、前記ラミネートケースから突出した第１の電極タブ、および、前記第１の電極タブとは異なる極性を有する第２の電極タブを有し、
前記第１の電極タブおよび前記第２の電極タブのうちの一方は、前記一対の拘束板の一方に固定され、前記第１の電極タブおよび前記第２の電極タブのうちの他方は、前記ラミネート電池の膨張時に固定箇所が外れる態様で前記一対の拘束板の他方に固定されていてもよい。【００１３】
前記第１の電極タブおよび前記第２の電極タブのうちの他方は、当該電極タブが突出している方向が開口している穴を有し、前記穴を貫通した雄ネジによって、前記一対の拘束板の他方に固定されていてもよい。【００１４】
前記ラミネート電池は、複数積層されていてもよい。
【発明の効果】
【００１５】
本発明の電池パックによれば、ラミネート電池の両外側に設けられた一対の拘束板は、ラミネート電池の位置を決めるための電池位置決め部を有するので、ラミネート電池と一対の拘束板との間の位置を精度良く合わせて、帯状締結部材でラミネート電池の中央部を安定的に固定することができる。
【図面の簡単な説明】
【００１６】
【図１】一実施の形態における電池パックの斜視図である。
【図２】図１に示す電池パックの分解図である。
【図３】第１の拘束板の内側の面の平面図である。
【図４】第２の拘束板の内側の面の平面図である。
【図５】ラミネート電池が正常な状態から膨張したときの動作を説明するための模式図であり、（ａ）は、一実施の形態における電池パックを負荷と接続した状態を示す側面図であり、（ｂ）は、（ａ）に示す状態から、ラミネート電池が膨張した状態を示す図である。
【図６】（ａ）は、バンドが係合する係合部として、第１のバンド貫通孔および第２のバンド貫通孔を設けた第１の拘束板の内側の面を示す平面図であり、（ｂ）は、バンドが係合する係合部として、第３のバンド貫通孔および第４のバンド貫通孔を設けた第２の拘束板の内側の面を示す平面図である。
【発明を実施するための形態】
【００１７】
以下に本発明の実施形態を示して、本発明の特徴とするところをさらに具体的に説明する。
【００１８】
図１は、一実施の形態における電池パック１００の斜視図である。また、図２は、図１に示す電池パック１００の分解図である。
【００１９】
一実施の形態における電池パック１００は、積層された複数のラミネート電池１０（１０ａ、１０ｂ、１０ｃ、１０ｄ）と、複数のラミネート電池１０の積層方向の両外側に、複数のラミネート電池１０を挟み込むように設けられた一対の拘束板である第１の拘束板２１および第２の拘束板２２と、複数のラミネート電池１０と第１の拘束板２１および第２の拘束板２２との積層構造体の中央部を周回して、積層構造体をその中央部で一体に締結するバンド３０とを備えている。
【００２０】
なお、本明細書では、各ラミネート電池１０ａ、１０ｂ、１０ｃ、１０ｄを区別することなく説明する場合には、ラミネート電池１０と記載して説明する。
【００２１】
ラミネート電池１０は、例えばリチウムイオン二次電池である。ただし、ラミネート電池１０がリチウムイオン二次電池に限定されることはない。
【００２２】
ラミネート電池１０は、電池要素をラミネートケース１３（１３ａ、１３ｂ、１３ｃ、１３ｄ）に収容した構造を有する。電池要素には、例えば、正極、負極および電解質が含まれている。また、ラミネートケース１３は、ラミネートフィルムにより形成されている。
【００２３】
ラミネート電池１０のラミネートケース１３からは、正極と接続されている正極タブ１１（１１ａ、１１ｂ、１１ｃ、１１ｄ）、および、負極と接続されている負極タブ１２（１２ａ、１２ｂ、１２ｃ、１２ｄ）が外側に突出している。
【００２４】
本実施形態では、第１のラミネート電池１０ａ、第２のラミネート電池１０ｂ、第３のラミネート電池１０ｃ、および第４のラミネート電池１０ｄが積層されている。第１のラミネート電池１０ａは最下層に位置し、第４のラミネート電池１０ｄは、最上層に位置している。積層方向に隣接するラミネート電池１０同士は、例えば、両面テープや接着剤などを用いて接着されている。
【００２５】
本実施形態では、第１のラミネート電池１０ａ、第２のラミネート電池１０ｂ、第３のラミネート電池１０ｃ、および第４のラミネート電池１０ｄは、直列に接続されている。すなわち、第１のラミネート電池１０ａの第１の正極タブ１１ａと、第２のラミネート電池１０ｂの第２の負極タブ１２ｂは接続されており、第２のラミネート電池１０ｂの第２の正極タブ１１ｂは、第３のラミネート電池１０ｃの第３の負極タブ１２ｃと接続されている。また、第３のラミネート電池１０ｃの第３の正極タブ１１ｃは、第４のラミネート電池１０ｄの第４の負極タブ１２ｄと接続されている。
【００２６】
第１のラミネート電池１０ａの第１の負極タブ１２ａは、第１の拘束板２１に固定されている。また、第４のラミネート電池１０ｄの第４の正極タブ１１ｄは、後述する方法により、第２の拘束板２２に固定されている。
【００２７】
図３は、第１の拘束板２１の内側の面、すなわち、第１のラミネート電池１０ａと向かい合う面の平面図である。また、図４は、第２の拘束板２２の内側の面、すなわち、第４のラミネート電池１０ｄと向かい合う面の平面図である。
【００２８】
第１の拘束板２１および第２の拘束板２２は、ある程度の変形を許容する可撓性を有し、例えば、樹脂により形成されている。ただし、第１の拘束板２１および第２の拘束板２２の形成材料が樹脂に限定されることはない。
【００２９】
第１の拘束板２１には、バンド３０が係合する係合部として機能する第１の係合溝２１ａおよび第２の係合溝２１ｂが設けられている。第１の係合溝２１ａおよび第２の係合溝２１ｂは、第１の拘束板２１の周囲のうち、長手方向の中央の位置にそれぞれ設けられている。
【００３０】
第１の拘束板２１の内側の面には、第１のラミネート電池１０ａの形状に応じた形状を有する第１の凹部２１ｃが設けられている。第１の凹部２１ｃは、第１のラミネート電池１０ａの位置を決めるための電池位置決め部として機能し、第１の拘束板２１の中央に設けられている。このような構成により、第１のラミネート電池１０ａは、第１の拘束板２１の中央の位置、すなわち、第１の凹部２１ｃが設けられている位置に固定される。
【００３１】
本実施形態では、第１の凹部２１ｃは、第１のラミネート電池１０ａのうち、電池要素が封入されている部分の形状に応じた形状を有する。本実施形態では、第１のラミネート電池１０ａの電池要素が封入されている部分の形状は、平面視で矩形であり、第１の凹部２１ｃも平面視で矩形の形状を有する。
【００３２】
第２の拘束板２２には、バンド３０が係合する係合部として機能する第３の係合溝２２ａおよび第４の係合溝２２ｂが設けられている。第３の係合溝２２ａおよび第４の係合溝２２ｂは、第２の拘束板２２の周囲のうち、長手方向の中央の位置にそれぞれ設けられている。
【００３３】
第２の拘束板２２の内側の面には、第４のラミネート電池１０ｄの形状に応じた形状を有する第２の凹部２２ｃが設けられている。第２の凹部２２ｃは、第４のラミネート電池１０ｄの位置を決めるための電池位置決め部として機能し、第２の拘束板２２の中央に設けられている。このような構成により、第４のラミネート電池１０ｄは、第２の拘束板２２の中央の位置、すなわち、第２の凹部２２ｃが設けられている位置に固定される。
【００３４】
本実施形態では、第２の凹部２２ｃは、第４のラミネート電池１０ｄのうち、電池要素が封入されている部分の形状に応じた形状を有する。本実施形態では、第４のラミネート電池１０ｄの電池要素が封入されている部分の形状は、平面視で矩形であり、第２の凹部２２ｃも矩形の形状を有する。
【００３５】
このように、第１の拘束板２１に第１の凹部２１ｃが設けられ、第２の拘束板２２に第２の凹部２２ｃが設けられていることにより、積層されているラミネート電池１０と、第１の拘束板２１および第２の拘束板２２との間の位置関係を精度良く合わせることができる。
【００３６】
また、積層されているラミネート電池１０が平板である第１の拘束板２１および第２の拘束板２２によって挟まれる構成とすることにより、電池パック１００の外側表面が平坦となるので、電池パック１００を電子機器や車両などに設置する際の設置性が向上する。
【００３７】
帯状締結部材として機能するバンド３０は、環状で、かつ、帯状の部材であり、環状となっている部分の周長を調節できるように構成されている。バンド３０は、例えばステンレス製である。ただし、バンド３０の素材がステンレスに限定されることはなく、他の種類の金属が用いられてもよいし、金属以外の素材が用いられてもよい。バンド３０の幅は、例えば、８ｍｍ（ラミネート電池１０の長さの１０％程度）である。
【００３８】
バンド３０は、第１の拘束板２１の第１の係合溝２１ａおよび第２の係合溝２１ｂと、第２の拘束板２２の第３の係合溝２２ａおよび第４の係合溝２２ｂに係合し、積層されている複数のラミネート電池１０と第１の拘束板２１および第２の拘束板２２とを取り囲むように設けられている。すなわち、バンド３０は、ラミネート電池１０と第１の拘束板２１および第２の拘束板２２との積層構造体の中央部を、一対の拘束板２１、２２の一方側から他方側に回り込むように周回して、積層構造体をその中央部で一体に締結する。
【００３９】
上述したように、第１の係合溝２１ａおよび第２の係合溝２１ｂは、第１の拘束板２１の周囲のうち、長手方向の中央の位置にそれぞれ設けられており、第３の係合溝２２ａおよび第４の係合溝２２ｂは、第２の拘束板２２の周囲のうち、長手方向の中央の位置にそれぞれ設けられている。したがって、バンド３０は、第１の拘束板２１および第２の拘束板２２の中央部で、積層されている複数のラミネート電池１０と第１の拘束板２１および第２の拘束板２２とを一体的に固定している。
【００４０】
電池パック１００の製造時には、バンド３０を、第１の拘束板２１の第１の係合溝２１ａおよび第２の係合溝２１ｂと、第２の拘束板２２の第３の係合溝２２ａおよび第４の係合溝２２ｂに係合させて、所定の力で締め上げることによって、積層されているラミネート電池１０と、第１の拘束板２１および第２の拘束板２２とを固定する。
【００４１】
このように、バンド３０は、環状となっている部分の周長を調節できるように構成されているので、ラミネート電池１０の厚みにばらつきが存在する場合でも、所定の拘束力で、積層されているラミネート電池１０と、第１の拘束板２１および第２の拘束板２２とを固定することができる。
【００４２】
ここで、第１のラミネート電池１０ａの第１の負極タブ１２ａおよび第４のラミネート電池１０ｄの第４の正極タブ１１ｄの固定方法について説明する。
【００４３】
第１のラミネート電池１０ａの第１の負極タブ１２ａには、２つの第１の雄ネジ４１（図１参照）がそれぞれ貫通する円形の穴１２１が２つ設けられている（図２参照）。また、第１の拘束板２１には、２つの第１の雄ネジ４１と係合する円形のネジ穴２１ｄが２つ設けられている。すなわち、第１のラミネート電池１０ａの第１の負極タブ１２ａは、２つの第１の雄ネジ４１によって、第１の拘束板２１に固定されている。
【００４４】
ただし、第１のラミネート電池１０ａの第１の負極タブ１２ａを第１の拘束板２１に固定する方法は、２つの第１の雄ネジ４１を用いた固定方法に限定されることはない。また、第１の雄ネジ４１を用いて第１のラミネート電池１０ａの第１の負極タブ１２ａを固定する場合、用いられる第１の雄ネジ４１の数が２つに限定されることはない。
【００４５】
なお、第１の雄ネジ４１には、既存の雄ネジを用いることができる。既存の雄ネジには、ボルトも含まれる。
【００４６】
図４に示すように、第２の拘束板２２には、第４のラミネート電池１０ｄの第４の正極タブ１１ｄが挿通するタブ挿通孔２２ｅが設けられている。第４のラミネート電池１０ｄの第４の正極タブ１１ｄは、タブ挿通孔２２ｅを挿通して、第２の拘束板２２の外側表面において、ラミネート電池１０の膨張時に固定箇所が外れる態様で固定されている。
【００４７】
具体的には、第４のラミネート電池１０ｄの第４の正極タブ１１ｄには、第４のラミネート電池１０ｄから第４の正極タブ１１ｄが突出している方向が開口したＵ字型の穴１１１が２つ設けられている（図２参照）。また、第２の拘束板２２の外側表面には、２つの第２の雄ネジ４２（図１参照）とそれぞれ係合する円形のネジ穴２２ｄが２つ設けられている（図２参照）。２つの第２の雄ネジ４２は、第４のラミネート電池１０ｄの第４の正極タブ１１ｄに設けられている２つのＵ字型の穴１１１を貫通して、第２の拘束板２２の円形のネジ穴２２ｄと係合している。
【００４８】
なお、第２の雄ネジ４２には、既存の雄ネジを用いることができる。既存の雄ネジには、ボルトも含まれる。
【００４９】
図５は、ラミネート電池１０が正常な状態から膨張したときの動作を説明するための模式図である。図５（ａ）は、本実施形態における電池パック１００を負荷２００と接続した状態を示す側面図であり、図５（ｂ）は、図５（ａ）に示す状態から、ラミネート電池１０が膨張した状態を示す図である。図５（ａ）および図５（ｂ）では、第４のラミネート電池１０ｄの第４の正極タブ１１ｄが固定されている位置の平面図も示している。
【００５０】
過充電や内部短絡などの異常発生時に、電解液の分解ガスが発生すると、ラミネート電池１０は膨張する。このとき、ラミネート電池１０の中央部は、バンド３０で固定されているため、バンド３０で固定されている中央部の両側が膨張する。また、第１のラミネート電池１０ａの第１の負極タブ１２ａは第１の拘束板２１に固定されているため、ラミネート電池１０が膨張することによって、図５（ｂ）に示すように、バンド３０で固定されている位置を中心として、第２の拘束板２２の端部が上方に持ち上げられる。
【００５１】
上述したように、第４のラミネート電池１０ｄの第４の正極タブ１１ｄに設けられているＵ字型の穴１１１は、第４の正極タブ１１ｄが突出している方向、すなわち、外側が開口している。このため、第２の拘束板２２の端部が上方に持ち上げられると、第２の雄ネジ４２が第２の拘束板２２と係合した状態で、第４の正極タブ１１ｄと第２の雄ネジ４２との間の係合は外れる。これにより、負荷２００は、電池パック１００から電気的に遮断される。
【００５２】
このように、本実施形態における電池パック１００によれば、ラミネート電池１０の膨張検知装置や、ラミネート電池１０に膨張異常が発生したときに、電気的な接続を遮断するための遮断機構を別途設けることなく、ラミネート電池１０の膨張異常発生時に、電気的な接続を遮断することができる。すなわち、ラミネート電池１０の膨張異常発生時に、低コストで安全に、電気的な接続を遮断することができる。
【００５３】
また、上述したように、本実施形態における電池パック１００では、第１の拘束板２１に、第１のラミネート電池１０ａの形状に応じた形状を有する第１の凹部２１ｃが設けられており、第２の拘束板２２に、第４のラミネート電池１０ｄの形状に応じた形状を有する第２の凹部２２ｃが設けられている。これにより、積層されているラミネート電池１０と、第１の拘束板２１および第２の拘束板２２との間の位置関係を精度良く合わせることができる。
【００５４】
特に、電池パック１００の製造過程において、第１の拘束板２１および第２の拘束板２２によって、積層されているラミネート電池１０を挟み込んだときに、第１の拘束板２１および第２の拘束板２２と、積層されている複数のラミネート電池１０との間の位置関係がずれていた場合でも、その後にバンド３０を設ける際に、所定の力でバンド３０を締め上げることによって、第１のラミネート電池１０ａが第１の拘束板２１の第１の凹部２１ｃの位置に収まり、第４のラミネート電池１０ｄが第２の拘束板２２の第２の凹部２２ｃの位置に収まる。このように、電池パック１００の製造時に、積層されているラミネート電池１０と、第１の拘束板２１および第２の拘束板２２との間の位置関係を補正して、精度良く位置を合わせることができる。
【００５５】
また、第１の拘束板２１の長手方向の中央部には、バンド３０が係合するための第１の係合溝２１ａおよび第２の係合溝２１ｂが設けられ、第２の拘束板２２の長手方向の中央部には、バンド３０が係合するための第３の係合溝２２ａおよび第４の係合溝２２ｂが設けられているので、第１の拘束板２１および第２の拘束板２２の長手方向の中央部において精度良く、バンド３０を固定することができる。
【００５６】
ここで、ラミネート電池１０は、ラミネートケース１３が柔らかく、製造ばらつきなどによって、ラミネート電池１０毎に厚さが異なることがある。このため、複数のラミネート電池１０を積層した電池パック１００では、ラミネート電池１０の積層方向における厚さのばらつきが生じやすい。しかしながら、本実施形態における電池パック１００では、積層したラミネート電池１０の両外側に第１の拘束板２１および第２の拘束板２２を設け、その外側を、バンド３０を用いて、一定の締結力で固定するので、積層したラミネート電池１０の全体の厚さが異なる場合でも、安定的に、一定の拘束力で、積層したラミネート電池１０の全体を固定することができる。
【００５７】
また、ラミネート電池１０は、ラミネートケース１３が柔らかく、中央を中心に膨らむ性質があるので、中央部を１本のバンド３０で固定することにより、バンド３０の締結時に、バンド３０が設けられている位置の両側における加重バランスを保つことができ、安定的にラミネート電池１０を固定することができる。
【００５８】
なお、積層したラミネート電池１０を２本以上のバンドを用いて固定した場合には、締結するバンドの順序により、各バンドの締結力が均一とならない場合がある。この場合、いずれかのバンドに応力が集中して、緩んでしまうバンドが生じ、安定的にラミネート電池１０を固定することができなくなる。
【００５９】
また、本実施形態における電池パック１００のように、ラミネート電池１０が複数積層されている構成であっても、積層されている複数のラミネート電池１０と第１の拘束板２１および第２の拘束板２２との間の位置を精度良く合わせて、積層されている複数のラミネート電池１０の中央部を、バンド３０で安定的に、一定の拘束力で固定することができる。
【００６０】
本発明は、上記実施形態に限定されるものではなく、本発明の範囲内において、種々の応用、変形を加えることが可能である。
【００６１】
例えば、第１の拘束板２１には、バンド３０が係合するための係合部として機能する第１の係合溝２１ａおよび第２の係合溝２１ｂが設けられているものとして説明したが、バンド３０が係合するための係合部として、バンド貫通孔を設けた構成としてもよい。同様に、第２の拘束板２２に、バンド３０が係合するための係合部として、バンド貫通孔を設けた構成としてもよい。
【００６２】
図６（ａ）は、バンド３０が係合するための係合部として、第１のバンド貫通孔２１ｓおよび第２のバンド貫通孔２１ｔを設けた第１の拘束板２１の内側の面を示す平面図である。第１のバンド貫通孔２１ｓおよび第２のバンド貫通孔２１ｔは、長手方向の中央の位置であって、第１の拘束板２１の端部と第１の凹部２１ｃとの間にそれぞれ設けられている。
【００６３】
図６（ｂ）は、バンド３０が係合するための係合部として、第３のバンド貫通孔２２ｓおよび第４のバンド貫通孔２２ｔを設けた第２の拘束板２２の内側の面を示す平面図である。第３のバンド貫通孔２２ｓおよび第４のバンド貫通孔２２ｔは、長手方向の中央の位置であって、第２の拘束板２２の端部と第２の凹部２２ｃとの間にそれぞれ設けられている。
【００６４】
このような構成の場合にも、第１の拘束板２１および第２の拘束板２２によって挟まれたラミネート電池１０の中央部を、バンド３０によって精度よく固定することができる。
【００６５】
上述した実施形態では、ラミネート電池１０は複数積層されているものとして説明したが、ラミネート電池１０は１つであってもよい。その場合、一対の拘束板である第１の拘束板２１および第２の拘束板２２は、ラミネート電池１０の一対の主面が対向する方向の両外側に設けられる構成となる。
【００６６】
上述した実施形態では、第１の拘束板２１に、第１のラミネート電池１０ａの位置を決めるための電池位置決め部として、第１の凹部２１ｃが形成されているものとして説明したが、電池位置決め部は、凹部以外の構成、例えば、第１のラミネート電池１０ａの位置を決めるための突起であってもよい。同様に、第２の拘束板２２が有する電池位置決め部が第２の凹部２２ｃのような凹部に限定されることはなく、突起であってもよい。
【００６７】
第４のラミネート電池１０ｄの第４の正極タブ１１ｄに設けられている、外側が開口した穴１１１の形状はＵ字型に限定されることはなく、例えばＶ字型であってもよい。
【符号の説明】
【００６８】
１０ａ  第１のラミネート電池
１０ｂ  第２のラミネート電池
１０ｃ  第３のラミネート電池
１０ｄ  第４のラミネート電池
１１ａ  第１の正極タブ
１１ｂ  第２の正極タブ
１１ｃ  第３の正極タブ
１１ｄ  第４の正極タブ
１２ａ  第１の負極タブ
１２ｂ  第２の負極タブ
１２ｃ  第３の負極タブ
１２ｄ  第４の負極タブ
２１    第１の拘束板
２１ａ  第１の係合溝
２１ｂ  第２の係合溝
２１ｃ  第１の凹部
２１ｓ  第１のバンド貫通孔
２１ｔ  第２のバンド貫通孔
２２    第２の拘束板
２２ａ  第３の係合溝
２２ｂ  第４の係合溝
２２ｃ  第２の凹部
２２ｓ  第３のバンド貫通孔
２２ｔ  第４のバンド貫通孔
３０    バンド
４１    第１の雄ネジ
４２    第２の雄ネジ
１００  電池パック
１１１  正極タブに設けられているＵ字型の穴
１２１  負極タブに設けられている円形の穴
２００  負荷
【図１】
2019003664.tif 000003
【図２】
2019003664.tif 000004
【図３】
2019003664.tif 000005
【図４】
2019003664.tif 000006
【図５】
2019003664.tif 000007
【図６】
2019003664.tif 000008
【国際調査報告】
2019003664.tif 000009
2019003664.tif 000010
2019003664.tif 000011
2019003664.tif 000012